(57)【要約】【課題】経験が浅く技術の未熟な作業者も、容易に電線上への起き上がり作業を行うことが可能な電線作業補助具を提供する。【解決手段】電線作業補助具１は、電線２への取り付けを行うためのカラビナ３・作業者が足を載せる足場４・カラビナ３と足場４を連結するロープ５及びカラビナ３と足場４の間の長さを調節する長さ調節器６を備える。このような構成により、電線２上への起き上がり動作時に、どちらか一方の足で足場４の上に立ち上がることができる。その後もう一方の足を電線２に掛け、体を回転させながら電線２の上に乗ることができる。よって、経験が浅く技術の未熟な作業者も、容易に電線２上への起き上がり動作を行うことができる。【選択図】        図１
2007060803.tif 000002
【特許請求の範囲】
【請求項１】
空中に架設された電線上での作業時に、電線上への起き上がり動作を補助する電線作業補助具であって、
前記電線へ着脱自在に取り付ける取り付け手段と、
作業者が足を載せる足場部と、
作業者の身体の大きさに応じた長さを有し、前記取り付け部と前記足場部を連結する折りたたみ自在な連結部を備えた
ことを特徴とする電線作業補助具。
【請求項２】
少なくとも一つの補助足場部を、前記足場部に対して前記連結部の長さ方向に所定の間隔をあけて取り付けた
ことを特徴とする請求項１記載の電線作業補助具。
【請求項３】
前記連結部は、前記取り付け手段と前記足場部の間の長さを調節する長さ調整手段を備えた
ことを特徴とする請求項１又は請求項２記載の電線作業補助具。
【請求項４】
前記足場部を、前記連結部へ着脱自在に取り付ける足場部取り付け手段を備え、
前記足場部は、作業用工具を備えた
ことを特徴とする請求項１、請求項２又は請求項３記載の電線作業補助具。
【発明の詳細な説明】
【技術分野】
【０００１】
本発明は、電線上での作業時に、電線上への起き上がり動作をする際に用いられる電線作業補助具に関する。詳しくは、電線への着脱自在な取り付け手段、足場部及び、取り付け手段と足場部を連結する折りたたみ自在な連結部を備えることで、足場部の上に立ち上がることにより、容易に電線上への起き上がり動作を行うことを可能とするものである。
【背景技術】
【０００２】
電柱・鉄塔などの高所に架設された電線にて各種の作業する際には、作業者は電線上に乗った状態で作業、作業場所の移動などを行う必要がある。図９は電線２上での作業時の、作業者１１の基本姿勢を示す説明図である。通常、電線２上では作業者１１は図９で示すような基本姿勢をとる。
【０００３】
図１０は作業者１１の電線２上で起き上がり動作を示す説明図である。作業者１１が電線２上で転倒により電線２上から落ちた際などには、図１０に示すように、どちらか片方の足を電線にかけ、蹴り上がりの方法で電線２上に起き上がって電線２上に戻る必要がある。
【０００４】
また電線上での作業を補助する器具として、傾斜状態の電線上での作業を補助するための電線宙乗り作業用補助具が提案されている（例えば特許文献１）。
【０００５】
特許文献１に開示される電線宙乗り作業用補助具は、作業靴を載せる基体、作業靴を基体に固定する締結具及び、基体の中央部から外部へ突設された棒体を備える。更に特許文献１に開示される電線宙乗り作業用補助具は、後方へ向けて水平な直杵と上方へ突出する湾曲杵を棒体の先端部に備え、直杵と湾曲杵の後端に電線が入り込む開口部を備える。
【０００６】
このような構成により、傾斜状態の電線の上り下り及び所望の位置における停止を容易にしたものである。
【０００７】
【特許文献１】特公平０７−０７１３６４号公報
【発明の開示】
【発明が解決しようとする課題】
【０００８】
しかし図１０で説明した従来の電線上への起き上がり方法は、経験が浅く技術の未熟な作業者にとっては起き上がり動作が困難である問題があった。
【０００９】
このため技術の未熟な技能者は電線上での作業に恐怖を感じ、作業効率が悪くなる問題があった。
【００１０】
また特許文献１にて提案されている電線宙乗り作業用補助具は、傾斜状態の電線上にて、電線の上り下り及び所望の位置での停止を行うための構成である。このため、特許文献１にて提案されている電線宙乗り作業用補助具は、電線上から落ちた際の電線上への起き上がり動作時には用いることはできない。
【００１１】
本発明はこのような問題を解決するためになされたもので、作業者が容易に電線上への起き上がり作業を行うことが可能な、電線作業補助具を提供することを目的とする。
【課題を解決するための手段】
【００１２】
上述した問題を解決するため本発明に係る電線作業補助具は、空中に架設された電線上での作業時に、電線上への起き上がり動作を補助する電線作業補助具であって、電線へ着脱自在に取り付ける取り付け手段と、作業者が足を載せる足場部と、作業者の身体の大きさに応じた長さを有し、取り付け部と足場部を連結する折りたたみ自在な連結部を備えたことを特徴とするものである。
【００１３】
本発明に係る電線作業補助具では、次のような方法で作業者の電線上への起き上がり動作が行われる。作業者は折りたたまれて収納された電線作業補助具を取り出し、取り付け手段により電線へ取り付ける。
【００１４】
その後作業者はどちらか片方の足を足場部に載せ、足場部に載せた足で踏ん張って足場部の上に立ち上がる。
【００１５】
その後作業者はもう一方の足を電線の上に持ち上げて電線に掛け、体を回転させながら電線の上に乗る。電線上に起き上がった後、作業者は電線作業補助具を電線から取り外し、折りたたんで収納する。
【発明の効果】
【００１６】
本発明の電線作業補助具によれば、作業者は、電線上への起き上がり動作時にどちらか一方の足で足場部の上に立ち上がることができる。足場部の上に立ち上がった後、作業者は、もう一方の足を電線に掛けて体を回転させながら電線上に乗る。
【００１７】
これにより、容易に電線上への起き上がり動作を行うことができ、経験が浅く技術の未熟な作業者も電線上への起き上がり動作を容易に行うことを可能にする。
【００１８】
また、本発明の電線作業補助具は取り付け手段・足場部及び連結部を備えた単純な構成であるため、容易に且つ低コストで作製することが可能である。
【発明を実施するための最良の形態】
【００１９】
以下図面を参照して、本発明の電線作業補助具の実施の形態について説明する。
【００２０】
＜第１の実施の形態の電線作業補助具の構成例＞
図１は第１の実施の形態の電線作業補助具１の構成を示す説明図であり、電線２に対して電線作業補助具１を取り付けた状態を示している。
【００２１】
電線作業補助具１は例えば次のような構成となる。図１に示すように、電線作業補助具１はカラビナ３・足場４・ロープ５及び長さ調節器６を備えて構成される。カラビナ３は取り付け手段の一例であり、足場４は足場部の一例である。またロープ５は連結部の一例であり、長さ調節器６は長さ調節手段の一例である。
【００２２】
図１に示すように、電線作業補助具１は、二つのカラビナ３及び足場４がロープ５により連結された構成となっている。作業者を支えるための強度を考慮し、ロープ５として例えば直径８ｍｍ程度のクレモナ（登録商標）ロープを用いることができる。
【００２３】
カラビナ３は、電線作業補助具１を電線２に取り付けるための環状の器具であり、電線作業補助具１は二つのカラビナ３により、電線２に対して着脱自在に取り付けることができる構成となっている。またカラビナ３には、電線２との接触面に例えばゴムによる被膜が施されている。この被膜は、カラビナ３と電線２の間に適度な摩擦を持たせるとともに、電線２の損傷を防ぐためのものである。
【００２４】
図１に示すように、足場４は取り付け穴部４ａを二つ備えた板状の部材である。足場４は、それぞれの取り付け穴部４ａにロープ５が通されてロープ５に取り付けられる。また、足場４は例えばアルミを用いて構成することが可能である。アルミを用いて構成することにより、足場４を軽量に構成することが可能となる。
【００２５】
また図１の矢印Ａは、二つの取り付け穴部４ａの間の間隔を示している。電線作業補助具１を用いて起き上がり動作を行う際には、矢印Ａで示す箇所に作業者の足が載せられる。このため足場４の矢印Ａで示す箇所は、人の足の幅に合わせて例えば１５ｃｍ程度の長さに構成される。
【００２６】
また図１に示すように、ロープ５には足場４とカラビナ３の間に長さ調節器６が一つ備えられる。この長さ調節器６にてロープ５の余長部５ａの長さを変えることにより、二つのカラビナ３と足場４の間の長さを調節することができる。
【００２７】
また上述した電線作業補助具１では、ロープ５の足場４とカラビナ３の間に長さ調節器６を備えた構成としたが、長さ調節器６を備えない構成としても良い。
【００２８】
また上述した電線作業補助具１では、取り付け手段の一例としてカラビナ３を用いたが、取り付け手段として例えばフックを用いて、フックにより電線作業補助具１を電線２に着脱自在に取り付けることができる構成としても良い。
【００２９】
更に上述した電線作業補助具１では、取り付け穴部４ａにロープ５が通されて、足場部４がロープ５に取り付けられる構成とした。しかし、取り付け穴部４ａにてロープ５を縛りつけることにより、足場４をロープ５に取り付ける構成としても良い。
【００３０】
更に上述した電線作業補助具１では、連結部の一例としてロープ５を用いた。しかし、連結部が、例えば、折り曲げ自在に接合された複数の棒状の部材を備えて構成されるとしても良い。
【００３１】
更に図１で説明した構成とは別に、電線作業補助具１は、一つのカラビナ３と一つのリング状の足場４とが、一本のロープ５により連結された構成としても良い。
【００３２】
＜第２の実施の形態の電線作業補助具の構成例＞
次に第２の実施の形態の電線作業補助具７の構成について説明する。図２は第２の実施の形態の電線作業補助具７の構成を示す説明図であり、電線２に対して電線作業補助具７を取り付けた状態を示している。
【００３３】
なお、電線作業補助具７において図１で説明した電線作業補助具１と同様の構成を備えるものについては、同一の符号を付している。
【００３４】
電線作業補助具７は例えば次のような構成となる。図２に示すように、電線作業補助具７はカラビナ３・足場４・ロープ５及び少なくとも一つの補助足場１２を備えて構成される。補助足場１２は補助足場部の一例である。図２は二つの補助足場１２を備えた例を示している。
【００３５】
図２に示すように、電線作業補助具７は、二つのカラビナ３・二つの補助足場１２及び足場４がロープ５により連結された構成となっている。図２に示すように、足場４と補助足場１２は、ロープ５の長さ方向にそれぞれ所定の間隔で取り付けられている。足場４と補助足場１２がロープ５に取り付けられる位置は、足の長さなどの人の身体の大きさを考慮して決められる。
【００３６】
図２に示す電線作業補助具７では、足場４は、図１で説明した電線作業補助具１の足場４と同様の構成である。取り付け穴部４ａにロープ５が通されて、足場部４はロープ５に取り付けられる。また図２に示す電線作業補助具７では、二つの補助足場１２は紐状の部材により構成される。
【００３７】
また図２において、足場４及び補助足場１２の矢印Ｂで示される箇所は、電線作業補助具７を用いて起き上がり動作を行う際に、作業者の足が載せられる箇所である。このため図１の矢印Ａで示す箇所と同様に、人の足の幅に合わせて例えば１５ｃｍ程度の長さに構成される。
【００３８】
また電線作業補助具７は、図１で説明した電線作業補助具１と同様の構成のカラビナ３を備えており、二つのカラビナ３により電線２に対して着脱自在に取り付けることができる構成となっている。
【００３９】
＜第３の実施の形態の電線作業補助具の構成例＞
次に第３の実施の形態の電線作業補助具８の構成について説明する。図３から図５は第３の実施の形態の電線作業補助具８の構成を示す説明図である。図３は電線２に対して電線作業補助具８を取り付けた状態を示し、図４は足場４を拡大した状態を示し、図５は足場４をロープ５から取り外した状態を示している。
【００４０】
なお、電線作業補助具８において図１で説明した電線作業補助具１と同様の構成を備えるものについては、同一の符号を付している。
【００４１】
電線作業補助具８は例えば次のような構成となる。図３に示すように、電線作業補助具８はカラビナ３・足場４・ロープ５・長さ調節器６及び足場取り付けカラビナ９を備えて構成される。足場取り付けカラビナ９は足場部取り付け手段の一例である。
【００４２】
図３に示すように、電線作業補助具８は、図１で説明した電線作業補助具１と同様に、二つのカラビナ３及び足場４がロープ５により連結された構成となっている。
【００４３】
電線作業補助具８は図１で説明した電線作業補助具１と異なり、ロープ５は二つの部分に分かれた構成となっており、カラビナ３が取り付けられている端の逆側の端に、足場取り付け用カラビナ９を備えている。足場取り付け用カラビナ９により、ロープ５と足場４は連結される。
【００４４】
また図３から図５に示すように、電線作業補助具８では足場４は折尺１０を備えて構成される。折尺１０は作業用工具の一例である。また足場４はカラビナ取り付け穴４ｂを二つ備えており、カラビナ取り付け穴４ｂにて足場取り付けカラビナ９により、ロープ５へ着脱自在に取り付けることができる構成となっている。
【００４５】
このため、図５に示すように、足場４をロープ５から取り外して折尺１０により距離測定作業を行うことが可能になる。また図５に示すように、折尺１０は例えばカラビナ取り付け穴４ｂにて折り曲げ自在な構成となっており、ロープ５から取り外した後、直線に伸ばして距離測定作業を行うことができる。
【００４６】
また、図３の矢印Ｃで示される箇所は、電線作業補助具８を用いて起き上がり動作を行う際に、作業者の足が載せられる箇所である。このため、図１の矢印Ａで示す箇所と同様に、人の足の幅に合わせて例えば１５ｃｍ程度の長さに構成される。
【００４７】
また、電線作業補助具８は、図１で説明した電線作業補助具１と同様の構成のカラビナ３を備えており、二つのカラビナ３により電線２に対して着脱自在に取り付けることができる構成となっている。
【００４８】
また図２に示すように、ロープ５の二つの部分には足場４とカラビナ３の間に長さ調節器６がそれぞれ備えられる。この長さ調節器６にてロープ５の余長部５ａの長さを変えることにより、二つのカラビナ３と足場４の間の長さを調節することができる。
【００４９】
＜第１・第３の実施の形態の電線作業補助具による起き上がり動作例＞
次に、図１で説明した第１の実施の形態の電線作業補助具１及び、図３から図５で説明した第３の実施の形態の電線作業補助具８を用いた電線２上への起き上がり動作の方法について説明する。
【００５０】
図６から図８は、本実施の形態の電線作業補助具を用いた電線２上への起き上がり動作の説明図である。図６は作業者１１が足場４の上に立ち上がった状態を示す説明図であり、図７は作業者１１が一方の足を電線２に掛けた状態を示す説明図であり、図８は作業者１１が体を回転させながら電線２上に乗る状態を示す説明図である。
【００５１】
以下においては、図６から図８を用いて、電線作業補助具１により電線２上へ起き上がり動作を行う方法を説明する。
【００５２】
転倒等により電線２上より落下した際は、まず作業者１１は、折りたたまれて収納された電線作業補助具１を取り出し、図１に示すようにカラビナ３にて電線作業補助具１を電線２に取り付ける。
【００５３】
その後作業者１１は、どちらか一方の足を足場４に載せる。一方の足を足場４に載せた後、図６に示すように、作業者１１は足場４に載せた足で踏ん張って足場４の上に立ち上がる。
【００５４】
足場４の上に立ち上がって安定した姿勢を確保した後、図７に示すように、作業者１１はもう一方の足を電線２の上に持ち上げて電線２に掛ける。
【００５５】
一方の足を電線２の上に掛けた後、図８に示すように、作業者１１は体を回転させながら電線２の上に乗る。電線２の上に乗った後、図９に示すように、作業者１１は電線２上での基本姿勢に戻る。
【００５６】
電線２上での基本姿勢に戻った後、作業者１１は電線作業補助具１を電線２から取り外し、折りたたんで収納する。
【００５７】
また作業者１１は、足の長さ等の身体の大きさに合わせて、カラビナ３と足場４の間の長さを長さ調節器６により予め調節しておくことにより、実際の起き上がり動作を円滑に行うことができる。
【００５８】
また電線作業補助具８を用いた場合も、上述した電線作業補助具１を用いた場合と同様の方法で、電線２上への起き上がり動作を行うことができる。
【００５９】
また、電線作業補助具８は、折尺１０を備えた足場４を、ロープ５より取り外すことが可能である。このため、電線作業補助具８を起き上がり動作に使用しない時は、折尺１０を備えた足場４をロープ５より取り外し、距離測定作業を行うことができる。
【００６０】
＜第２の実施の形態の電線作業補助具による起き上がり動作例＞
次に、図２で説明した第２の実施の形態の電線作業補助具７を用いた電線２上への起き上がり動作の方法について説明する。
【００６１】
電線作業補助具７を用いて起き上がり動作を行う際も、電線作業補助具１を用いる際と同様に、折りたたまれて収納された電線作業補助具７を作業者１１はまず取り出す。
【００６２】
その後作業者１１は、図２に示すように、カラビナ３にて電線作業補助具７を電線２に取り付ける。
【００６３】
その後作業者１１は、どちらか一方の足を足場４又は補助足場１２に載せる。電線作業補助具７には、足の長さなどの人の身体の大きさを考慮した位置に、足場４と二つの補助足場１２が取り付けられている。このため作業者１１は、足の長さなどの自分の身体の大きさに合わせて、足を載せ易い足場４又は補助足場１２に足を載せることができる。
【００６４】
一方の足を足場４又は補助足場１２に載せた後、図６に示すように、作業者１１は足場４又は補助足場１２に載せた足で踏ん張って立ち上がる。
【００６５】
足場４又は補助足場１２の上に立ち上がって安定した姿勢を確保した後、図７に示すように、作業者１１はもう一方の足を電線２の上に持ち上げて電線２に掛ける。
【００６６】
一方の足を電線２の上に掛けた後、図８に示すように、作業者１１は体を回転させながら電線２の上に乗る。電線２の上に乗った後、図９に示すように、作業者１１は電線２上での基本姿勢に戻る。
【００６７】
電線２上での基本姿勢に戻った後、作業者１１は電線作業補助具７を電線２から取り外し、折りたたんで収納する。
【００６８】
電線作業補助具７には、足の長さなどの人の身体の大きさを考慮した位置に、足場４と二つの補助足場１２が取り付けられている。このため作業者１１は、図１・図３等で説明した電線作業補助具１及び電線作業補助具８のようにカラビナ３と足場４の間の長さを予め調節することなく、自分の身体の大きさに合わせて足を載せ易い足場４又は補助足場１２に足を載せ、立ち上がることができる。
【００６９】
更に他の作業者が電線２上から落ちた際に、電線作業補助具７を用いて電線２上への起き上がり動作を助ける場合も、その場でカラビナ３と各足場の間の長さを調節することなく、電線２上から落ちた作業者は、足を載せ易い足場４又は補助足場１２に足を載せ立ち上がることができる。
【００７０】
以上説明したように本実施の形態の電線作業補助具１・７・８では、電線２上への起き上がり動作時に、どちらか一方の足で足場４の上に立ち上がった状態で、もう一方の足を電線２に掛け、体を回転させながら電線２の上に乗ることができる。
【００７１】
これにより、経験が浅く技術の未熟な作業者も、容易に電線２上への起き上がり動作を行うことができる。
【００７２】
また、本実施の形態の電線作業補助具１・７・８はカラビナ３・足場４・ロープ５等を備えた単純な構成であるため、容易に且つ低コストで作製することが可能である。
【００７３】
更に、本実施の形態の電線作業補助具１・７・８は軽量であり、未使用時はコンパクトにまとめることができる。このため電線２上での作業時に、作業者１１は他の作業工具と一緒に携帯することが可能になる。
【産業上の利用可能性】
【００７４】
本発明は、電線上での作業時に、電線上への起き上がり動作をする際に用いられる電線作業補助具に適用される。
【図面の簡単な説明】
【００７５】
【図１】第１の実施の形態の電線作業補助具の一例を示す説明図である。
【図２】第２の実施の形態の電線作業補助具の一例を示す説明図である。
【図３】第３の実施の形態の電線作業補助具の一例を示す説明図である。
【図４】第３の実施の形態の電線作業補助具の一例を示す説明図である。
【図５】第３の実施の形態の電線作業補助具の一例を示す説明図である。
【図６】本実施の形態の電線作業補助具による起き上がり動作についての説明図である。
【図７】本実施の形態の電線作業補助具による起き上がり動作についての説明図である。
【図８】本実施の形態の電線作業補助具による起き上がり動作についての説明図である。
【図９】電線上での作業時の基本姿勢を示す説明図である。
【図１０】従来の電線上への起き上がり動作方法を示す説明図である。
【符号の説明】
【００７６】
１  電線作業補助具
２  電線
３  カラビナ
４  足場
５  ロープ
６  長さ調節器
７  電線作業補助具
８  電線作業補助具
９  足場取り付け用カラビナ
１０  折尺
１１  作業者
１２  補助足場
【図１】
2007060803.tif 000003
【図２】
2007060803.tif 000004
【図３】
2007060803.tif 000005
【図４】
2007060803.tif 000006
【図５】
2007060803.tif 000007
【図６】
2007060803.tif 000008
【図７】
2007060803.tif 000009
【図８】
2007060803.tif 000010
【図９】
2007060803.tif 000011
【図１０】
2007060803.tif 000012